(57)【要約】【課題】精巧な模造品によるなりすましを防止でき、また、本人認証および生体認証を効率的に行うことができるとともに、認証対象者の負担を軽減することを課題とする。【解決手段】認証装置は、認証画像を撮像するカメラ１０と、カメラ１０の後ろに配置され、鏡１２を介して情報を表示するディスプレイ１１と、認証対象者が撮像位置に位置しない場合は表示された情報を遮蔽するように配置された遮蔽板１３と、表示された情報に対する認証対象者の応答を受け付けるタッチパネル１４とで構成される。このような構成のもと、認証装置は、カメラ１０による認証画像を撮像する状態でディスプレイ１１より表示する所定の情報に対する応答が正しいかどうかで生体か否かを判断する。【選択図】        図１
2008000464.tif 000002
【特許請求の範囲】
【請求項１】
認証画像として認証対象者を撮像し、前記認証画像を用いて本人認証を行うとともに、前記認証対象者が生体か否かの生体認証を行う認証装置であって、
前記認証画像を撮像する状態で、前記認証対象者に所定の情報を表示する表示手段と、
前記表示手段より表示された情報に対する前記認証対象者の応答に基づいて生体か否かを判別する判別手段と
を備えたことを特徴とする認証装置。
【請求項２】
前記表示手段は、前記認証対象者が前記認証画像を撮像する位置に位置する場合にのみ、前記所定の情報を表示することを特徴とする請求項１に記載の認証装置。
【請求項３】
前記表示手段は、前記認証画像として前記認証対象者の顔を撮像する状態で、所定の情報を表示することを特徴とする請求項１または２に記載の認証装置。
【請求項４】
前記表示手段は、前記認証画像として前記認証対象者の目を撮像する状態で、所定の情報を表示することを特徴とする請求項１または２に記載の認証装置。
【請求項５】
前記表示手段より表示された内容に応答する応答受付手段をさらに備え、
前記判別手段は、前記応答受付手段で受け付けた応答に基づいて生体か否かを判別することを特徴とする請求項１〜４のいずれか一つに記載の認証装置。
【請求項６】
前記判別手段は、前記表示手段による表示の変化に対する前記認証対象者の瞳孔反射に基づいて生体か否か判別することを特徴とする請求項１〜４のいずれか一つに記載の認証装置。
【請求項７】
認証画像として認証対象者を撮像し、前記認証画像を用いて本人認証を行うとともに、前記認証対象者が生体か否かの生体認証を行う認証装置であって、
前記認証画像を撮像するカメラの後ろに配置され、鏡を介して前記認証対象者に所定の情報を表示する表示手段と、
前記認証対象者が前記認証画像の撮像位置に位置する場合のみ、前記所定の情報を確認できるように表示を制御する表示制御手段と、
前記表示手段より表示された情報に対する、前記認証対象者の応答に基づいて生体か否かを判別する判別手段と
を備えたことを特徴とする認証装置。
【請求項８】
認証画像として認証対象者を撮像し、前記認証画像を用いて本人認証を行うとともに、前記認証対象者が生体か否かの生体認証を行う認証方法であって、
前記認証画像を撮像する状態で、前記認証対象者に所定の情報を表示する表示工程と、
前記表示工程より表示された情報に対する前記認証対象者の応答に基づいて生体か否かを判別する判別工程と
を含んだことを特徴とする認証方法。
【発明の詳細な説明】
【技術分野】
【０００１】
本発明は、認証画像として認証対象者を撮像し、認証画像を用いて本人認証を行うとともに、認証対象者が生体か否かの生体認証を行う認証装置および認証方法に関するものである。
【背景技術】
【０００２】
従来より、認証画像として指紋または虹彩、顔の画像を撮像し、認証画像を用いて本人認証行うとともに、認証対象者が生体か否かの生体認証を行う認証装置および認証方法が発明されてきた。
【０００３】
例えば、特許文献１（特開平２−１４４６８４号公報）では、指紋を用いて本人認証を行うとともに、その指紋に複数の波長の光を当てて、その分光反射率あるいは吸収率を用いて生体認証を行う技術が開示されている。特許文献２（特許第３５６２９７０号公報）では、虹彩を用いて本人認証行うとともに、認証対象者の視線を誘導させ、視線を検出し、誘導させた方向と検出した方向とが一致したか否かで生体認証を行う技術が開示されている。特許文献３（特開２０００−３０６０９０号公報）では、あらかじめ複数の文字を発声している顔画像をそれぞれ登録しておき、認証時に複数の文字を発声させて顔画像を撮像し、登録しておいた顔画像と比較して本人認証を行うとともに、生体であることを担保する技術が開示されている。
【０００４】
【特許文献１】特開平２−１４４６８４号公報
【特許文献２】特許第３５６２９７０号公報
【特許文献３】特開２０００−３０６０９０号公報
【発明の開示】
【発明が解決しようとする課題】
【０００５】
しかしながら、特許文献１では、分光反射率あるいは吸収率を用いるものなので、紙やプラスチックを使用した模造品によるなりすましには対応できるが、悪意のある認証者がより生体に近い材料を使用した精巧な模造品を作成したような場合は、生体であると認証されてしまい、なりすましが成功するという問題があった。
【０００６】
また、特許文献２では、最初に本人認証を行って次に生体認証を行うという２段階の認証が必要であるので、処理が効率的でなく、認証対象者の負担が大きいという問題があった。
【０００７】
また、特許文献３では、あらかじめ複数の認証画像を用意する必要があり、認証時にも複数の認証画像を撮像しなければならないので、処理が効率的でなく、認証対象者の負担が大きいという問題があった。
【０００８】
そこで、この発明は、上述した従来技術の課題を解決するためになされたものであり、精巧な模造品によるなりすましを防止でき、また、本人認証および生体認証を効率的に行うことができるとともに、認証対象者の負担を軽減することができる認証装置および認証方法を提供することを目的とする。
【課題を解決するための手段】
【０００９】
上述した課題を解決し、目的を達成するために、請求項１に係る発明は、認証画像として認証対象者を撮像し、前記認証画像を用いて本人認証を行うとともに、前記認証対象者が生体か否かの生体認証を行う認証装置であって、前記認証画像を撮像する状態で、前記認証対象者に所定の情報を表示する表示手段と、前記表示手段より表示された情報に対する前記認証対象者の応答に基づいて生体か否かを判別する判別手段と、を備えたことを特徴とする。
【００１０】
また、請求項２に係る発明は、上記の発明において、前記表示手段は、前記認証対象者が前記認証画像を撮像する位置に位置する場合にのみ、前記所定の情報を表示することを特徴とする。
【００１１】
また、請求項３に係る発明は、上記の発明において、前記表示手段は、前記認証画像として前記認証対象者の顔を撮像する状態で、所定の情報を表示することを特徴とする。
【００１２】
また、請求項４に係る発明は、上記の発明において、前記表示手段は、前記認証画像として前記認証対象者の目を撮像する状態で、所定の情報を表示することを特徴とする。
【００１３】
また、請求項５に係る発明は、上記の発明において、前記表示手段より表示された内容に応答する応答受付手段をさらに備え、前記判別手段は、前記応答受付手段で受け付けた応答に基づいて生体か否かを判別することを特徴とする。
【００１４】
また、請求項６に係る発明は、上記の発明において、前記判別手段は、前記表示手段による表示の変化に対する前記認証対象者の瞳孔反射に基づいて生体か否か判別することを特徴とする。
【００１５】
また、請求項７に係る発明は、上記の発明において、認証画像として認証対象者を撮像し、前記認証画像を用いて本人認証を行うとともに、前記認証対象者が生体か否かの生体認証を行う認証装置であって、前記認証画像を撮像するカメラの後ろに配置され、鏡を介して前記認証対象者に所定の情報を表示する表示手段と、前記認証対象者が前記認証画像の撮像位置に位置する場合のみ、前記所定の情報を確認できるように表示を制御する表示制御手段と、前記表示手段より表示された情報に対する前記認証対象者の応答に基づいて生体か否かを判別する判別手段と、を備えたことを特徴とする。
【００１６】
また、請求項８に係る発明は、上記の発明において、認証画像として認証対象者を撮像し、前記認証画像を用いて本人認証を行うとともに、前記認証対象者が生体か否かの生体認証を行う認証方法であって、前記認証画像を撮像する状態で、前記認証対象者に所定の情報を表示する表示工程と、前記表示手段より表示された情報に対する前記認証対象者の応答に基づいて生体か否かを判別する判別工程と、を備えたことを特徴とする。
【発明の効果】
【００１７】
また、請求項１または８の発明によれば、認証画像を撮像する状態で表示する所定の情報に対する応答が正しいかどうかで生体か否かを判断しており、なりすましを行っていた場合は所定の情報を確認できず正当な応答ができないので、精巧な模造品によるなりすましを防止できる。また、認証画像を撮像する状態で認証対象者に所定の情報を表示しているので、二段階の処理が必要なく、本人認証および生体認証を効率的に行うことができるとともに、認証対象者の負担を軽減できる。また、あらかじめ複数の認証画像を用意する必要がなく、認証時にも複数の画像を撮像する必要がないので、本人認証および生体認証を効率的に行うことができるとともに、認証対象者の負担を軽減できる。
【００１８】
また、請求項２の発明によれば、認証対象者が撮像位置に位置する場合にのみ、認証対象者に所定の情報を表示するので、なりすましを行っていた場合は表示された情報を確認することができず、精巧な模造品によるなりすましを効果的に防止することが可能になる。
【００１９】
また、請求項３の発明によれば、認証対象者の顔を撮像する状態で、認証対象者に所定の情報を表示するので、顔画像を用いた本人認証において、精巧な模造品によるなりすましを防止でき、また、本人認証および生体認証を効率的に行うことができるとともに、認証対象者の負担を軽減することができる。
【００２０】
また、請求項４の発明によれば、認証対象者の目を撮像する状態で、認証対象者に所定の情報を表示するので、目画像を用いた本人認証において、精巧な模造品によるなりすましを防止でき、また、本人認証および生体認証を効率的に行うことができるとともに、認証対象者の負担を軽減することができる。
【００２１】
また、請求項５の発明によれば、例えば表示手段より画像を表示し、表示された画像を応答受付手段により受付けた情報に基づいて生体か否かを判別しているので、知能があるかどうか（画像を認識できるかどうか）を検査していることになり、精巧な模造品を用いたなりすましを防止することができる。
【００２２】
また、請求項６の発明によれば、例えば表示手段より画像を表示し、表示された文字を画像に変化させて引き起こる認証対象者の瞳孔反射に基づいて生体か否かを判別しているので、精巧な模造品によるなりすましを防止することができる。また、瞳孔反射は自然に行われる現象なので、認証対象者が意識的に目を動かす必要がなく認証時の認証対象者の負担を軽減することができる。
【００２３】
また、請求項７の発明によれば、認証対象者が撮像位置に位置し認証画像を撮像する状態で表示する所定の情報に対する応答が正しいかどうかで生体か否かを判断しており、なりすましを行っていた場合は所定の情報を確認できず正当な応答ができないので、精巧な模造品によるなりすましに対しても効果的に防止することができる。また、認証画像を撮像する状態で認証対象者に所定の情報を表示しているので、二段階の処理が必要なく、効率良く本人認証と生体認証を行うことができるとともに、認証対象者の負担を軽減できる。また、あらかじめ複数の画像を用意する必要がなく、認証時にも複数の画像を撮像する必要がないので、処理が効率的で認証対象者の負担を軽減できる。
【発明を実施するための最良の形態】
【００２４】
以下に添付図面を参照して、この発明に係る認証装置および認証方法の実施例（実施例１、２）を詳細に説明する。
【実施例１】
【００２５】
以下の実施例１では、本発明に係る認証装置の概要および特徴、認証装置の構成および処理の流れ、実施例１による効果等を順に説明する。
【００２６】
［認証装置の概要および特徴（実施例１）］
まず最初に、図１を用いて、実施例１に係る認証装置の概要および特徴を説明する。図１は、実施例１に係る認証装置の全体構成を示す構成図である。
【００２７】
この認証装置は、認証画像として認証対象者を撮像し、認証画像を用いて本人認証を行うとともに、認証対象者が生体か否かの生体認証を行うことを概要とするものであり、精巧な模造品によるなりすましを防ぐことができる点と、本人認証と生体認証を効率的に行うことができる点と、認証対象者の負担を軽減することができる点とに主たる特徴がある。
【００２８】
この主たる特徴を具体的に説明すると、同図に示すように、実施例１に係る認証装置は、認証画像を撮像するカメラ１０と、カメラ１０の後ろに配置され、鏡１２を介して情報を表示するディスプレイ１１と、認証対象者が撮像位置に位置しない場合は表示された情報を遮蔽するように配置された遮蔽板１３と、表示された情報に対する認証対象者の応答を受け付けるタッチパネル１４とで構成される。
【００２９】
このような構成において、カメラ１０は、認証対象者が撮像位置に位置する状態で目画像を撮像し、あらかじめ登録しておいた登録画像と照合して本人認証を行う（図１の（１）参照）。そして、ディスプレイ１１は、カメラ１０による目画像を撮像する状態で、認証対象者に対して画像を表示する（図１の（２）参照）。その後、タッチパネル１４は、認証対象者に表示された画像を応答させ、応答内容に基づいて生体認証を行う（図１の（３）参照）。例えば、ディスプレイ１１を介して認証対象者に最初に画像Ａを表示し、次に画像Ｄを表示したような場合、タッチパネル１４に表示された複数の画像の中から認証対象者により最初に画像Ａ、次に画像Ｄが選択されれば生体であると認証する。
【００３０】
したがって、実施例１に係る認証装置は、カメラ１０による認証画像を撮像する状態でディスプレイ１１より表示する所定の情報に対する応答が正しいかどうかで生体か否かを判断しており、なりすましを行っていた場合は所定の情報を確認できず正当な応答ができないので、精巧な模造品によるなりすましを防止できる。また、認証画像を撮像する状態で認証対象者に所定の情報を表示しているので、二段階の処理が必要なく、本人認証および生体認証を効率的に行うことができるとともに、認証対象者の負担を軽減できる。また、あらかじめ複数の認証画像を用意する必要がなく、認証時にも複数の画像を撮像する必要がないので、効率的に認証を行うことができ、認証対象者の負担を軽減できる。
【００３１】
［認証装置の構成］
次に、図１に示した認証装置の構成を説明する。図２は、実施例１に係る認証装置の構成を示すブロック図である。同図に示すように、この認証装置２０は、カメラ２１と、記憶部２２と、制御部２３とから構成される。
【００３２】
カメラ２１は、認証対象者を撮像する手段である。具体的には、認証前の登録時ならびに認証時に認証対象者の目を撮像する。
【００３３】
記憶部２２は、認証対象者の認証に用いる情報を記憶する手段である。具体的には、認証対象者別に、後述する検出部２４ａにより作成した認証対象者の登録目画像（図８参照）と、同じく検出部２４ａにより作成された認証対象者の登録血管画像（図９参照）とを登録画像２２ａとして記憶する。また、後述する表示処理部２５ａにより決定されて、表示部２５ｂに表示される複数の画像を画像パターン２２ｂとして記憶する。
【００３４】
制御部２３は、本人認証と生体認証を行うものであり、特に本発明に密接に関連するものとしては、本人認証部２４と、生体認証部２５と、判別部２６とを備える。また、本人認証部２４は、検出部２４ａと照合部２４ｂを備える。さらに、生体認証部２５は、表示処理部２５ａと、表示部２５ｂと、応答受付部２５ｃとを備える。
【００３５】
このうち、検出部２４ａは、登録画像を作成して、記憶部２２に登録画像２２ａとして登録する手段である。具体的には、登録時には、カメラ２１より撮像された目画像より目を検出して目からなる登録目画像（図８参照）を作成するとともに、同じく目画像から血管パターンを検出して血管パターンからなる登録血管画像（図９参照）を作成して、記憶部２２に登録する。また、認証時には、カメラ２１より撮像された目画像より目を検出して目からなる認証目画像（図１０参照）を作成するとともに、同じく目画像から血管パターンを検出して血管パターンからなる認証血管画像（図１１参照）を作成する。
【００３６】
照合部２４ｂは、認証時に登録血管画像と認証血管画像とを照合して照合値を算出する手段である。具体的には、検出部２４ａにより作成された認証血管画像と、その認証対象者に対応付けて記憶部２２に記憶されている登録血管画像とを照合して、両者の類似度を表す照合値を算出する。
【００３７】
表示処理部２５ａは、認証対象者に対して表示する画像パターンを決定する手段である。例えば、記憶部２２に記憶されている複数ある画像の中から最初に画像Ａ、次に画像Ｄを表示することを決定して、表示部２５ｂに対して決定した画像Ａ、画像Ｄを順に出力する。
【００３８】
表示部２５ｂは、認証対象者に画像を表示する手段である。具体的には、登録時および認証時に認証対象者の目を撮像する状態で、鏡１２を介して認証対象者に画像を表示するディスプレイ（若しくはモニタ）であり、例えば、最初に画像Ａ、次に画像Ｄを表示する。また、この表示部２５ｂは、登録時および認証時に認証対象者が目を撮像する位置に位置する場合のみ画像を表示するものであり、撮像する位置に位置しない場合は、遮蔽版１３により表示は遮蔽される。
【００３９】
応答受付部２５ｃは、認証対象者による応答を受け付ける手段であり、タッチパネルやマイクを備えて構成される。具体的には、表示部２５ｂより表示された画像に対する認証対象者の応答を受け付ける手段であり、後述する判別部２６は、この応答受付部２５ｃにより受け付けた応答に基づいて生体か否かを判別する。例えば、登録時および認証時に表示部２５ｂより最初に画像Ａ、次に画像Ｄが表示されたような場合、タッチパネル１４は、複数の画像を表示して、その中からどの画像が、どの順番で、表示されたかを認証対象者に選択させる。そして、判別部２６は、その画像選択の内容に基づいて認証対象者が生体か否かを判別する。
【００４０】
判別部２６は、認証対象者について本人認証と、生体認証とを行う手段である。具体的には、照合部２４ｂにより算出された照合値が閾値以上であるか否かの本人認証を行う。また、表示部２５ｂより表示された画像に対する認証対象者の応答を応答受付部２５ｃにて受け付けて、その受け付けた応答に基づいて生体か否かの生体認証を行う。そして、両者の結果により認証成功または認証失敗の結果を導き出す。
【００４１】
［認証装置による処理（実施例１）］
次に、図３を用いて、認証装置による認証前の登録処理を説明する。図３は、実施例１における登録処理の流れを示すフローチャートである。
【００４２】
図３に示すように、カメラ２１は、認証対象者が撮像位置に位置した場合、目を撮像する（ステップＳ３０１）。
【００４３】
続いて、検出部２４ａは、撮像した目画像より目を検出して登録目画像を作成する（ステップＳ３０２）。そして、撮像した目画像より血管パターンを検出して（ステップＳ３０３）、登録血管画像を作成する（ステップＳ３０４）。
【００４４】
一方、目を撮像後、表示処理部２５ａは、認証対象者に表示する画像パターンを決定し、表示部２５ｂは、決定された画像パターンを認証対象者に表示する（ステップＳ３０５）。そして、応答受付部２５ｃは、表示された画像パターンを確認した認証対象者からの画像選択を受け付ける（ステップＳ３０６）。
【００４５】
ここで、判別部２６は、認証対象者からの画像選択が正しいか否かを判別する（ステップＳ３０７）。例えば、ディスプレイ１１を介して認証対象者に最初に画像Ａを表示し、次に画像Ｄを表示したような場合、タッチパネル１４に表示された複数の画像の中から認証対象者により最初に画像Ａ、次に画像Ｄが選択されれば生体であると認証する。そして、判別部２６は、画像選択が正しくない場合（ステップＳ３０７否定）、撮像した目は生体でないと判断し、検出部２４ａは、作成した登録目画像および登録血管画像を登録画像２２ａとして記憶部２２に登録しない（ステップＳ３０９）。
【００４６】
これとは反対に、判別部２６は、画像選択が正しい場合（ステップＳ３０７肯定）、撮像した目は生体であると判断し、検出部２４ａは、登録目画像および登録血管画像を登録画像２２ａとして記憶部２２に登録する（ステップＳ３０８）。つまり、認証前の登録時に目画像を撮像したとしても、表示された画像パターンを正確に選択できない場合は、生体を撮像したことにはならないので、登録画像として記憶部２２に登録されない。
【００４７】
次に、図４を用いて、認証装置による認証時の認証処理を説明する。図４は、実施例１における認証処理の流れを示すフローチャートである。
【００４８】
図４に示すように、カメラ２１は、認証対象者が撮像位置に位置した場合、目を撮像する（ステップＳ４０１）。
【００４９】
続いて、検出部２４ａは、撮像した目画像より血管パターンを検出して（ステップＳ４０２）、認証血管画像を作成する（ステップＳ４０３）。
【００５０】
照合部２４ｂは、検出部２４ａより作成した認証血管画像と、認証対象者に対応付けて記憶部２２に登録されている登録血管画像とを照合して（ステップＳ４０４）、照合値を算出する（ステップＳ４０５）。
【００５１】
一方、目を撮像後、表示処理部２５ａは、認証対象者に表示する画像パターンを決定すし、表示部２５ｂは、決定された画像パターンを認証対象者に表示する（ステップＳ４０７）。そして、応答受付部２５ｃは、表示された画像パターンを確認した認証対象者からの画像選択を受け付ける（ステップＳ４０８）。
【００５２】
ここで、判別部２６は、照合部２４ｂにて算出した照合値が閾値以上か否かを判別するとともに（ステップＳ４０６）、応答受付部２５ｃにより受け付けた画像選択が正しいか否かを判別する（ステップＳ４０９）。そして、判別部２６は、照合値が閾値未満の場合（ステップＳ４０６否定）、認証失敗という結果を導き出す（ステップＳ４１１）。また、応答受付部２５ｃにより受け付けた画像選択が正しくない場合は（ステップＳ４０９否定）、認証失敗という結果を導き出す（ステップＳ４１１）。
【００５３】
これらとは反対に、判別部２６は、照合部２４ｂにて算出した照合値が閾値以上の場合（ステップＳ４０６肯定）、かつ、応答受付部２５ｃにより受け付けた画像選択が正しい場合（ステップＳ４０９肯定）は、認証成功という結果を導き出す（ステップＳ４１０）。つまり、認証成功という結果を導き出すためには、認証時に撮像した認証血管画像と登録血管画像との照合値が閾値以上で、かつ、表示された画像に対する認証対象者の画像選択が正しい結果でなければならない。
【００５４】
［実施例１の効果］
上述してきたように、実施例１によれば、認証画像を撮像する状態で表示する画像に対する応答が正しいどうかで生体か否かを判断しており、精巧な模造品によるなりすましに対しても防止することができる。
【００５５】
また、実施例１によれば、認証画像を撮像する状態で認証対象者に画像を表示しているので、二段階の処理が必要なく、登録時には登録画像作成と生体認証を並行して行うことができ、認証時には本人認証と生体認証を並行して行うことができるので、効率良く本人認証と生体認証を行うことができるとともに、認証対象者の負担を軽減できる。
【００５６】
また、実施例１によれば、あらかじめ複数の認証画像を用意する必要がなく、認証時にも複数の画像を撮像する必要がないので、本人認証および生体認証を効率的に行うことができるとともに認証対象者の負担を軽減できる。
【００５７】
また、実施例１によれば、認証対象者が撮像位置に位置する場合にのみ、認証対象者に画像を表示するので、なりすましを行っていた場合は表示された画像を確認することができず、精巧な模造品によるなりすましを効果的に防止することが可能になる。
【００５８】
また、実施例１によれば、認証対象者の目を撮像する状態で、認証対象者に画像を表示するので、目画像を用いた本人認証において、精巧な模造品によるなりすましを防止でき、また、本人認証および生体認証を効率的に行うことができるとともに、認証対象者の負担を軽減することができる。
【００５９】
また、実施例１によれば、例えば表示部２５ｂより画像Ａ、画像Ｄを表示して、表示された画像Ａ、画像Ｄをタッチパネル１４により画像選択させた情報に基づいて生体か否かを判別しているので、知能があるかどうか（画像を認識できるかどうか）を検査していることになり、精巧な模造品によるなりすましを防止することができる。
【実施例２】
【００６０】
ところで、上記の実施例１では、認証対象者に画像を表示して画像選択させることで生体認証を行う場合を説明したが、本発明は必ずしもこれに限定するものではなく、認証対象者の瞳孔反射を生体認証に利用してもよいものである。
【００６１】
そこで、実施例２では、認証対象者の瞳孔反射を利用して生体認証を行う場合を説明する。なお、全体構成図は実施例１と同様であるので、以下では、認証装置の構成および処理の流れ、実施例２による効果を順に説明する。
【００６２】
［認証装置の構成（実施例２）］
先ず、図５に示した認証装置の構成を説明する。図５は、実施例２に係る認証装置の構成を示すブロック図である。同図に示すように、この認証装置５０は、カメラ５１と、カメラ５２と、記憶部５３と、制御部５４とから構成される。制御部５４は、本人認証と生体認証を行うものであり、特に本発明に密接に関連するものとしては、本人認証部５５と、生体認証部５６と、判別部５７とを備える。また、本人認証部５５は、検出部５５ａと照合部５５ｂを備える。また、生体認証部５６は、表示処理部５６ａと、表示部５６ｂとを備える。
【００６３】
このうち、カメラ５１と、記憶部５３と、本人認証部５５と、表示部５６ｂは、実施例１で説明したカメラ２１と、記憶部２２と、本人認証部２４と、表示部２５ｂと同じ機能であるため、その詳細な説明は省略する。以下では、実施例２において、実施例１とは異なる機能を有するカメラ５２と、表示処理部５６ａと、判別部５７について説明する。
【００６４】
カメラ５２は、認証対象者の瞳孔を撮像する手段である。具体的には、登録時および認証時に認証対象者を撮像する状態で、後述する表示部５６ｂより大小の画像を順に表示する大小変化させた際の認証対象者の瞳孔を撮像する。つまり、大小の画像を順に表示する前後において、それぞれ認証対象者の瞳孔を撮像する。
【００６５】
表示処理部５６ａは、認証対象者に対して表示する画像パターンを決定する手段である。例えば、記憶部５３に記憶されている複数ある画像の中から画像Ａを表示することを決定して、決定した大きいサイズの画像Ａ、小さいサイズの画像Ａを表示部５６ｂに対して順に出力する。
【００６６】
判別部５７は、認証対象者について本人認証と、生体認証とを行う手段である。具体的には、照合部５５ｂにて算出した照合値が閾値以上であるか否かの本人認証を行う。また、表示部５６ｂにより表示された画像の大小変化で引き起こる認証対象者の瞳孔反射に基づいて生体か否かの生体認証を行う。つまり、大小の画像を順に表示する前後においてカメラ５２により撮像した瞳孔の画像に基づいて、瞳孔反射が正しく行われたか否かを判断して、正しく行われていた場合は、生体であると認証する。さらに、両者の結果により認証成功または認証失敗という結果を導き出す。
【００６７】
［認証装置による処理（実施例２）］
次に、図６を用いて、認証装置による認証前の登録処理を説明する。図６は、実施例２における登録処理の流れを示すフローチャートである。なお、認証対象者の目を撮像し、登録画像を作成するステップは、実施例１と同様の動作なので、ここでは省略する（ステップＳ６０１〜ステップＳ６０４）。
【００６８】
一方、目を撮像後、表示処理部５６ａは、認証対象者に表示する画像パターンを決定し、表示部５６ｂは、決定された画像パターンを認証対象者に表示する（ステップＳ６０５）。例えば、表示部５６ｂより最初に大きいサイズの画像Ａを表示し、次に小さいサイズの画像Ａを表示する。
【００６９】
また、カメラ５２は、認証対象者を撮像する状態で、表示部５６ｂより大小の画像を順に表示する大小変化させた際の認証対象者の瞳孔を撮像する（ステップＳ６０６）。つまり、大小の画像を順に表示する前後において、それぞれ認証対象者の瞳孔を撮像する。
【００７０】
そして、判別部５７は、瞳孔反射が正しいか否かを判別する（ステップＳ６０７）。つまり、大小の画像を順に表示する前後においてカメラ５２により撮像した瞳孔の画像に基づいて、瞳孔反射が正しく行われたか否かを判別する。判別部５７は、瞳孔反射が正しく行われない場合（ステップＳ６０７否定）、撮像した目は生体でないと判断し、検出部５５ａは、作成した登録目画像および登録血管画像を登録画像として記憶部５３に登録しない（ステップＳ６０９）。
【００７１】
これとは反対に、判別部５７は、瞳孔反射が正しく行われた場合（ステップＳ６０７肯定）、撮像した目は生体であると判断し、検出部５５ａは、作成した登録目画像および登録血管画像を登録画像として記憶部５３に登録する（ステップＳ６０８）。つまり、目画像を撮像したとしても瞳孔反射が正しく行われない場合は、生体を撮像したことにはならないので、登録画像として記憶部５３に登録されない。
【００７２】
次に、図７を用いて、認証装置による認証処理を説明する。図７は、実施例２における認証処理の流れを示すフローチャートである。なお、認証対象者の目を撮像し、認証血管画像を作成するステップ（ステップＳ６０１〜ステップＳ６０４）および、作成した認証血管画像と記憶されている登録血管画像を照合して照合値を算出するステップ（ステップＳ７０４〜ステップＳ７０５）は、実施例１と同様の動作なので、ここでは省略する。
【００７３】
一方、目を撮像後、表示処理部５６ａは、認証対象者に表示する画像パターンを決定し、表示部５６ｂは、決定された画像パターンを順に認証対象者に表示する（ステップＳ７０７）。例えば、表示部５６ｂより最初に大きいサイズの画像Ａを表示して、次に小さいサイズの画像Ａを表示する。
【００７４】
また、カメラ５２は、認証対象者を撮像する状態で、表示部５６ｂより大小の画像を順に表示する大小変化させた際の認証対象者の瞳孔を撮像する（ステップＳ７０８）。つまり、大小の画像を順に表示する前後において、それぞれ認証対象者の瞳孔を撮像する。
【００７５】
そして、判別部５７は、照合部５５ｂにて算出した照合値が閾値以上か否かを判別する（ステップＳ７０６）。判別部５７は、照合値が閾値未満の場合（ステップＳ７０６否定）、本人を認証したことにならないので、認証失敗という結果を導き出す（ステップＳ７１１）。また、瞳孔反射が正しく行われない場合も（ステップＳ７０９否定）、生体を認証したことにならないので、認証失敗という結果を導き出す（ステップＳ７１１）。
【００７６】
これらとは反対に、判別部５７は、照合部５５ｂにて算出した照合値が閾値以上の場合（ステップＳ７０６肯定）、かつ、瞳孔反射が正しく行われた場合（ステップＳ７０９肯定）は、本人を認証したことと、生体を認証したことになるので、認証成功という結果を導き出す（ステップＳ７１０）。つまり、認証成功という結果を導き出すためには、認証時に撮像した認証血管画像と登録血管画像との照合値が閾値以上で、かつ、表示された画像に対する認証対象者の瞳孔反射が正しく行わなければならない。
【００７７】
［実施例２の効果］
上述してきたように、実施例２によれば、実施例１と同様の効果が得られる。具体的には、精巧な模造品によるなりすましに対しても防止することができ、本人認証および生体認証を効率的に行うことができるとともに、認証対象者の負担を軽減することができる。
【００７８】
さらに、実施例２によれば、登録時および認証時の目を撮像する際に、認証対象者に表示する画像を大小変化させることで引き起こる瞳孔反射に基づいて生体認証を行っているので、精巧な模造品によるなりすましを防止することができる。
【００７９】
また、実施例２によれば、認証対象者の瞳孔反射に基づき生体認証を行っており、瞳孔反射は自然に起こる現象であるので、認証対象者が意識的に目を動かす必要がなく認証対象者の負担を軽減することができる。
【実施例３】
【００８０】
さて、これまで実施例１および２に係る認証装置について説明してきたが、本発明は上述した実施例以外にも、種々の異なる形態にて実施されてよいものである。そこで、以下では実施例３として、種々の異なる形態について説明する。
【００８１】
まず、上述した実施例１および実施例２において、登録時には登録画像作成と生体認証とを並行に行った場合を説明したが、本発明はこれに限定されるものではなく、例えば、生体認証を行った後、登録画像作成を行うなど、どちらかを先に行ってもよい。また、認証時には本人認証と生体認証とを並行に行う必要もなく、例えば、生体認証を行った後、本人認証を行うなど、どちらかを先に行ってもよい。
【００８２】
また、実施例１および実施例２において、本人認証に目の血管画像を用いた場合を説明したが、本発明はこれに限定されるものではなく、顔画像または目画像を本人認証に用いてもよい。
【００８３】
さらに、認証画像を撮像する際に認証対象者に対して画像を表示して、表示された画像をタッチパネルで応答させることで、生体認証を行う場合を説明したが、本発明はこれに限定されるものではなく、文字などを表示して認証他対象者に発音させることで生体認証を行ってもよく、あらゆる応答態様を採用することができる。
【００８４】
また、実施例２において、表示した画像を大小に変化させて瞳孔反射を起こさせる場合を説明したが、本発明はこれに限定されるものではなく、表示した画像の光量を変化させて瞳孔反射を起こさせてもよく、瞳孔反射を引き起こすあらゆる手段を採用することができる。
【００８５】
さらに、認証対象者の目を撮像するカメラ５１と、瞳孔反射を検出するカメラ５２とを２台使用した場合を説明したが、本発明はこれに限定されるものではなく、同様の手段を備える１台のカメラを使用してもよい。
【００８６】
また、図２および図５において、判別部を本人認証部と生態認証部と独立して構成し、判別部で本人認証および生体認証とを行う場合について説明したが、これらの図に示した構成は、任意に分散および統合するようにしてもよい。例えば、本人認証部と生体認証部のそれぞれに判別部を設けて、それぞれで本人認証または生体認証を行うように構成してもよい。
【産業上の利用可能性】
【００８７】
以上のように、本発明に係る認証装置および認証方法は、認証画像として認証対象者を撮像し、認証画像を用いて本人認証を行うとともに、認証対象者が生体か否かの生体認証を行う場合に有用であり、特に、精巧な模造品によるなりすましを防止でき、また、本人認証および生体認証を効率的に行うことができるとともに、認証対象者の負担を軽減することができることに適する。
【図面の簡単な説明】
【００８８】
【図１】システムの全体構成を示すシステム構成図である。
【図２】実施例１における認証装置の構成を示すブロック図である。
【図３】実施例１における認証前の登録処理の流れを示すフローチャートである。
【図４】実施例１における認証前の認証処理の流れを示すフローチャートである。
【図５】実施例２における認証装置の構成を示すブロック図である。
【図６】実施例２における認証前の登録処理の流れを示すフローチャートである。
【図７】実施例２における認証前の認証処理の流れを示すフローチャートである。
【図８】認証前の登録時に作成する登録目画像の例を示す図である。
【図９】認証前の登録時に作成する登録血管画像の例を示す図である。
【図１０】認証時に作成する認証目画像の例を示す図である。
【図１１】認証時に作成する認証血管画像の例を示す図である。
【符号の説明】
【００８９】
１０  カメラ
１１  ディスプレイ
１２  鏡
１３  遮蔽版
１４  タッチパネル
２０  生体認証装置
２１  カメラ
２２  記憶部
２２ａ  登録画像
２３  制御部
２４  本人認証部
２４ａ  検出部
２４ｂ  照合部
２５  生体認証部
２５ａ  表示処理部
２５ｂ  表示部
２５ｃ  応答受付部
２６  判別部
５０  生体認証装置
５１  カメラ
５２  カメラ
５３  記憶部
５３ａ  登録画像
５３ｂ  画像パターン
５４  制御部
５５  本人認証部
５５ａ  検出部
５５ｂ  照合部
５６  生体認証部
５６ａ  表示処理部
５６ｂ  表示部
５７  判別部
【図１】
2008000464.tif 000003
【図２】
2008000464.tif 000004
【図３】
2008000464.tif 000005
【図４】
2008000464.tif 000006
【図５】
2008000464.tif 000007
【図６】
2008000464.tif 000008
【図７】
2008000464.tif 000009
【図８】
2008000464.tif 000010
【図９】
2008000464.tif 000011
【図１０】
2008000464.tif 000012
【図１１】
2008000464.tif 000013